(57)【特許請求の範囲】
【請求項１】
内容物が収容される容器本体と、
該容器本体の口部に装着され内容物が吐出される吐出孔が形成された吐出器と、
を備え、
該吐出器は、
前記容器本体の口部に装着される装着キャップと、
該装着キャップに上方付勢状態で下方移動可能に貫設されたステムを有する吐出器本体と、
前記ステムの上端部に固定されるとともに、頂壁部に前記吐出孔が形成された有頂筒状の吐出ヘッドと、
を備える吐出容器であって、
内部に前記容器本体が収容され、かつ前記吐出ヘッドが固定される外ケースと、
該外ケース内に向けて突出する押下突片を備えるとともに、該外ケースの内部に対して進退自在に配設された操作ボタンと、
該操作ボタンおよび前記装着キャップに連係する連係部材と、
を備え、
該連係部材は、
前記操作ボタンの押下突片に該押下突片の下方から当接する被押下部と、
前記装着キャップに該装着キャップの下方から当接する押上げ部と、
これらの被押下部と押上げ部とを連結する揺動軸部と、
を備えるとともに、
前記操作ボタンが前記外ケースの内部に向けて押し込まれ、前記押下突片が前記被押下部を押下したときに、前記押上げ部が、前記装着キャップを容器本体とともに前記ステムおよび吐出ヘッドに対して押上げるように前記揺動軸部回りに揺動自在に配設され、
前記連係部材は、前記押上げ部が水平方向に延在し、かつ前記被押下部が前記押上げ部および揺動軸部から上方に向けて延びるように、該吐出容器の側面視でＬ字状に形成され、
前記被押下部は、前記側面視で、下方から上方に向かうに従い漸次、水平方向のうち前記押上げ部から離間する離間方向に延在し、
該被押下部の上端部には、前記側面視で、前記離間方向と反対側の反対方向に向けて突の曲面をなしつつ膨出する膨出部が形成され、該膨出部は、上方から下方に向かうに従い漸次前記反対方向に向けた突出量が大きくなるように形成され、
前記操作ボタンは、前記外ケースの内部に対して容器軸方向に沿って進退自在に配設されるとともに、前記押下突片が、前記膨出部における前記反対方向を向く端縁に摺接するように配設されていることを特徴とする吐出容器。
【発明の詳細な説明】
【技術分野】
【０００１】
本発明は、吐出容器に関するものである。
【背景技術】
【０００２】
内容物を吐出孔から吐出して被付着部分に付着させる吐出容器として、従来から、例えば下記特許文献１に示されるような、内容物が収容される容器本体と、容器本体の口部に装着され内容物が吐出される吐出孔が形成された吐出器と、を備え、吐出器は、容器本体の口部に装着される装着キャップと、装着キャップに上方付勢状態で下方移動可能に貫設されたステムを有する吐出器本体と、ステムの上端部に固定されるとともに、頂壁部に前記吐出孔が形成された有頂筒状の吐出ヘッドと、を備える構成が知られている。
【先行技術文献】
【特許文献】
【０００３】
【特許文献１】特公平０６−１３０５３号公報
【発明の概要】
【発明が解決しようとする課題】
【０００４】
しかしながら、前記従来の吐出容器では、内容物を被付着部分に付着させるときに、吐出ヘッドを容器本体に対して押し下げ、内容物を吐出孔から吐出するので、この吐出時に吐出ヘッドが移動することにより、内容物を正確な位置に付着させることが困難であるという問題があった。
【０００５】
本発明は、このような事情を考慮してなされたもので、内容物を吐出孔から正確な位置に付着させることができる吐出容器を提供することを目的とする。
【課題を解決するための手段】
【０００６】
上記課題を解決して、このような目的を達成するために、本発明の吐出容器は、内容物が収容される容器本体と、該容器本体の口部に装着され内容物が吐出される吐出孔が形成された吐出器と、を備え、該吐出器は、前記容器本体の口部に装着される装着キャップと、該装着キャップに上方付勢状態で下方移動可能に貫設されたステムを有する吐出器本体と、前記ステムの上端部に固定されるとともに、頂壁部に前記吐出孔が形成された有頂筒状の吐出ヘッドと、を備える吐出容器であって、内部に前記容器本体が収容され、かつ前記吐出ヘッドが固定される外ケースと、該外ケース内に向けて突出する押下突片を備えるとともに、該外ケースの内部に対して進退自在に配設された操作ボタンと、該操作ボタンおよび前記装着キャップに連係する連係部材と、を備え、該連係部材は、前記操作ボタンの押下突片に該押下突片の下方から当接する被押下部と、前記装着キャップに該装着キャップの下方から当接する押上げ部と、これらの被押下部と押上げ部とを連結する揺動軸部と、を備えるとともに、前記操作ボタンが前記外ケースの内部に向けて押し込まれ、前記押下突片が前記被押下部を押下したときに、前記押上げ部が、前記装着キャップを容器本体とともに前記ステムおよび吐出ヘッドに対して押上げるように前記揺動軸部回りに揺動自在に配設され、前記連係部材は、前記押上げ部が水平方向に延在し、かつ前記被押下部が前記押上げ部および揺動軸部から上方に向けて延びるように、該吐出容器の側面視でＬ字状に形成され、前記被押下部は、前記側面視で、下方から上方に向かうに従い漸次、水平方向のうち前記押上げ部から離間する離間方向に延在し、該被押下部の上端部には、前記側面視で、前記離間方向と反対側の反対方向に向けて突の曲面をなしつつ膨出する膨出部が形成され、該膨出部は、上方から下方に向かうに従い漸次前記反対方向に向けた突出量が大きくなるように形成され、前記操作ボタンは、前記外ケースの内部に対して容器軸方向に沿って進退自在に配設されるとともに、前記押下突片が、前記膨出部における前記反対方向を向く端縁に摺接するように配設されていることを特徴とする。
【０００７】
この発明によれば、操作ボタンを外ケースの内部に向けて押し込んだときに、連係部材の押上げ部により、装着キャップが外ケースの内部で容器本体とともにステムおよび吐出ヘッドに対して押上げられるので、内容物の吐出時に、吐出ヘッドおよび外ケースは上下動させないままにしておくことにより、吐出孔の被付着部分に対する位置を安定させることが可能になり、内容物を正確な位置に付着させることができる。
また、連係部材が前述のように揺動自在に配設されていることから、押上げ部により装着キャップを容器本体とともにステムおよび吐出ヘッドに対して押上げる際に、操作ボタンに要する押下力を低く抑え易くすることが可能になり、吐出孔の被付着部分に対する位置を確実に安定させることができる。
【０００９】
また、連係部材が吐出容器の側面視でＬ字状に形成されているので、簡易な構成で前述の作用効果を確実に奏功させることができる。
【００１１】
また、操作ボタンが、外ケースの内部に対して容器軸方向に沿って進退自在に配設されるとともに、押下突片が、膨出部における前記反対方向を向く端縁に摺接するように配設されているので、操作ボタンを外ケースの内部に対して進退移動させるときに、押下突片と被押下部とを互いに引っ掛けることなくスムーズに摺接させ合うことが可能になり、動作不良の発生を防ぐことができる。
【発明の効果】
【００１２】
本発明によれば、内容物を吐出孔から正確な位置に付着させることができる。
【図面の簡単な説明】
【００１３】
【図１】本発明に係る一実施形態として示した吐出容器の一部断面側面図である。
【図２】図１に示す吐出容器を左側から見た一部断面側面図である。
【図３】図１に示す吐出容器において、容器本体、装着キャップおよび吐出器本体を二点鎖線で表し、かつ操作ボタンを押下する前の待機状態を示す縦断面図である。
【図４】図３に示す吐出容器の待機状態から操作ボタンを押下した状態を示す縦断面図である。
【図５】図３に示す吐出容器のＡ−Ａ線矢視断面図である。
【発明を実施するための形態】
【００１４】
以下、図面を参照し、本発明の実施の形態について説明する。
本実施形態に係る吐出容器１は、図１から図５に示されるように、内容物が収容される容器本体１１と、容器本体１１の口部に装着され内容物が吐出される吐出孔１２が形成された吐出器１３と、を備えている。
容器本体１１は、図１に示されるように、口部、肩部１１ｂ、胴部１１ｃおよび底部１１ｄを備え、これらが、それぞれの中心軸線を共通軸上に位置させた状態で、この順に連設された概略構成となっている。
【００１５】
以下、前記共通軸を容器軸Ｏといい、容器軸Ｏ方向に沿って口部側を上側、底部１１ｄ側を下側といい、また、容器軸Ｏに直交する方向を径方向といい、容器軸Ｏ回りに周回する方向を周方向という。
口部は、容器軸Ｏに直交する横断面視形状が円形状に形成されている。口部には雄ねじ部が形成されている。
肩部１１ｂ、胴部１１ｃおよび底部１１ｄはそれぞれ、容器軸Ｏに直交する横断面視形状が長方形状に形成されている。
【００１６】
吐出器１３は、容器本体１１の口部に装着される装着キャップ１４と、装着キャップ１４に上方付勢状態で下方移動可能に貫設されたステム１５を有する吐出器本体１６と、ステム１５の上端部に固定されるとともに、頂壁部１７ａに前記吐出孔１２が形成された有頂筒状の吐出ヘッド１７と、を備えている。
【００１７】
装着キャップ１４は、有頂筒状の本体部１４ａと、本体部１４ａの天壁部から上方に向けて立設された縦筒部１４ｂと、を備えている。
本体部１４ａの内周面には、容器本体１１の口部に螺合する雌ねじ部が形成されている。本体部１４ａの天壁部は、容器軸Ｏと同軸に位置する環状に形成され、この天壁部の開口周縁部に縦筒部１４ｂが容器軸Ｏと同軸に配設されている。縦筒部１４ｂは多段筒状に形成され、下方に位置する部分が上方に位置する部分より大径に形成されている。
【００１８】
吐出器本体１６は、前記ステム１５と、内部にステム１５の下部が上下動自在に配設されたシリンダ１６ａと、ステム１５の下部に設けられるとともにシリンダ１６ａ内を上下摺動自在に配設された図示されないピストン部材と、ステム１５およびピストン部材を上方に付勢する図示されない付勢部材と、を備えるポンプ機構となっている。
ステム１５は、容器軸Ｏと同軸に配設されるとともに、シリンダ１６ａから上方に突出して、装着キャップ１４の縦筒部１４ｂ内に挿通されている。図示の例では、ステム１５は、縦筒部１４ｂよりも上方に突出している。シリンダ１６ａの下端には、容器本体１１の底部１１ｄに向けて延びるパイプ１６ｂが連結されている。
【００１９】
吐出ヘッド１７は、吐出孔１２が形成された頂壁部１７ａを有する有頂筒状のヘッド本体２１と、ヘッド本体２１内に配設されるとともに、頂壁部１７ａから下方に向けて延在し、下端開口部がステム１５の上端部に連結された連結筒２２と、を備えている。
吐出孔１２および連結筒２２は容器軸Ｏと同軸に配設されていて、連結筒２２は、吐出孔１２とステム１５内と連通している。頂壁部１７ａは、少なくともその外周縁部分が上方に向けて突の曲面状に形成されている。連結筒２２の下部における内周面には、ステム１５の上端開口縁が当接する段部が形成されている。
【００２０】
そして本実施形態では、吐出容器１は、内部に容器本体１１が収容され、かつ吐出ヘッド１７が固定される外ケース２３と、外ケース２３の内部に対して進退自在に配設された操作ボタン２４と、操作ボタン２４および装着キャップ１４に連係する連係部材２５と、を備えている。
【００２１】
外ケース２３は、容器軸Ｏと同軸に配設されるとともに、図５に示されるように、上面視長方形状をなす有底筒状に形成され、この長方形状を画成する４つの側壁２３ａ、２３ｂ、２３ｃ、２３ｄはそれぞれ、径方向の外側に向けて僅かに膨出している。４つの側壁２３ａ〜２３ｄのうち、前述の長方形状の長辺をなす長側壁２３ａ、２３ｂの内面には、第１縦リブ２６が突設され、短辺を画成する短側壁２３ｃ、２３ｄの内面には、その周方向の中央部に第２縦リブ２７が突設されている。第１縦リブ２６および第２縦リブ２７は、容器軸Ｏ方向に沿って延在し、これらの両縦リブ２６、２７により、容器本体１１の胴部１１ｃの外周面が支持されている。第１縦リブ２６の長側壁２３ａ、２３ｂの内面からの突出量は、第２縦リブ２７の短側壁２３ｃ、２３ｄの内面からの突出量よりも大きくなっている。
【００２２】
ここで、吐出ヘッド１７には、図１〜図４に示されるように、ヘッド本体２１の下端部から径方向の外側に張り出すフランジ部２８、およびフランジ部２８の外周縁から下方に向けて延びる周壁部２９を備える有頂筒状の固定筒部３０が配設されている。この固定筒部３０の周壁部２９が、外ケース２３の上端部に固定されている。図示の例では、周壁部２９における容器軸Ｏ方向の中間部に、全周にわたって連続して延びる横突条部２９ａが径方向の外側に向けて突設されており、この横突条部２９ａが外ケース２３の上端開口縁上に配置された状態で、周壁部２９のうち、横突条部２９ａより下方に位置する部分が外ケース２３の上端部内に嵌合されている。固定筒部３０は、外ケース２３と同様に、上面視長方形状に形成されるとともに、この長方形状における長手方向の両端部には、短手方向および容器軸Ｏ方向の双方向に一体に貫き、かつ長手方向に沿う固定筒部３０の外側に向けて開口する開口部３０ａが形成されている。
【００２３】
そして、各開口部３０ａ内に操作ボタン２４が下降移動自在に配設されている。
操作ボタン２４は、図５に示されるように、上面視長方形状の有頂筒状に形成されていて、その周壁部３１は、外ケース２３内に向けて突出し、かつ一対の長側壁３１ａ、３１ｂと、一対の短側壁３１ｃ、３１ｄと、を備えている。そしてこの操作ボタン２４は、その上面視において、一対の長側壁３１ａ、３１ｂが、吐出ヘッド１７および外ケース２３の前記短手方向に沿って延在し、かつ一対の短側壁３１ｃ、３１ｄが、吐出ヘッド１７および外ケース２３の前記長手方向に沿って延在するように配設されている。これら４つの側壁３１ａ〜３１ｄのうち、吐出ヘッド１７および外ケース２３の前記短手方向に沿って延在し、かつ径方向の内側に位置する内長側壁３１ａの下端は、図１、図３および図４に示されるように、他の側壁（以下、押下突片という）３１ｂ〜３１ｄの下端よりも上方に位置している。操作ボタン２４のうち、天面部２４ａと、押下突片３１ｂ〜３１ｄの上端部と、が開口部３０ａを通して固定筒部３０の外部に露出している。
なお、吐出ヘッド１７のフランジ部２８の内周縁部には、下方に向けて延びる案内筒部１７ｂが、容器軸Ｏと同軸に配設されており、この案内筒部１７ｂの外面と、操作ボタン２４の内長側壁３１ａの外面と、が互いに近接若しくは当接している。
【００２４】
連係部材２５は、操作ボタン２４の押下突片３１ｂ〜３１ｄに該押下突片３１ｂ〜３１ｄの下方から当接する被押下部３２と、装着キャップ１４に該装着キャップ１４の下方から当接する押上げ部３３と、これらの被押下部３２と押上げ部３３とを連結する揺動軸部３４と、を備えている。
そしてこの連係部材２５は、操作ボタン２４が外ケース２３の内部に向けて押し込まれ、押下突片３１ｂ〜３１ｄが被押下部３２を押下したときに、押上げ部３３が、装着キャップ１４を容器本体１１とともにステム１５および吐出ヘッド１７に対して押上げるように揺動軸部３４回りに揺動自在に配設されている。
なお、図１から図３に示されるような、操作ボタン２４を外ケース２３の内部に向けて押し込む前の待機状態では、押下突片３１ｂ〜３１ｄと被押下部３２とを、並びに装着キャップ１４と押上げ部３３とを、それぞれ互いに近接させても、あるいは隙間をあけて配設してもよい。
【００２５】
本実施形態では、連係部材２５は、押上げ部３３が水平方向に延在し、かつ被押下部３２が押上げ部３３および揺動軸部３４から上方に向けて延びるように、図１、図３および図４に示されるような該吐出容器１の側面視でＬ字状に形成されている。
図示の例では、前記側面視において、被押下部３２の長さは、押上げ部３３の長さより長くなっている。
【００２６】
被押下部３２は、前記側面視で、下方から上方に向かうに従い漸次、水平方向のうち押上げ部３３から離間する離間方向に延在している。この被押下部３２の上端部には、前記側面視で、前記離間方向と反対側の反対方向に向けて突の曲面をなしつつ膨出する膨出部３２ａが形成されている。該膨出部３２ａは、上方から下方に向かうに従い漸次前記反対方向に向けた突出量が大きくなるように形成され、操作ボタン２４は、押下突片３１ｂ〜３１ｄが、膨出部３２ａにおける前記反対方向を向く端縁に摺接するように配設されている。
【００２７】
ここで、吐出ヘッド１７の固定筒部３０には、図２から図４に示されるように、上端がフランジ部２８に接続され、かつ下端が周壁部２９から下方に突出する板状の支持突片３５が配設されており、この支持突片３５の下端部に下方に向けて開口する孔部３５ａが形成されている。
この孔部３５ａと、第１縦リブ２６の上端縁と、は容器軸Ｏ方向で対向しており、両者間に揺動軸部３４が挟まれ回転自在に支持されている。
装着キャップ１４の本体部１４ａの下端部には、径方向の外側に向けて張り出した被押上げ部１４ｃが配設されており、連係部材２５の押上げ部３３は、被押上げ部１４ｃに該被押上げ部１４ｃの下方から当接している。
押上げ部３３において、揺動軸部３４側と反対の端部は、前記側面視で突の曲面状に形成されている。
また、揺動軸部３４は、押上げ部３３における前記長手方向の端部の、外ケース２３側を向く表面に配設され、被押下部３２は、下方から上方に向かうに従い漸次、前記長手方向に沿う外ケース２３の外側に向けて延在している。揺動軸部３４は、外ケース２３および吐出ヘッド１７の前記短手方向に延在している。
【００２８】
さらに本実施形態では、連係部材２５、支持突片３５および第１縦リブ２６は、外ケース２３および吐出ヘッド１７の前記長手方向に間隔をあけて一対ずつ配設されている。これら一対の連係部材２５、一対の支持突片３５および一対の第１縦リブ２６はそれぞれ、外ケース２３および吐出ヘッド１７の前記短手方向に、容器本体１１および装着キャップ１４を挟んで互いに対向する位置に配設されていて、二組ずつ配設されている。
そして、１つの操作ボタン２４について、外ケース２３および吐出ヘッド１７の前記短手方向で互いに対向する２つの連係部材２５が連係するようになっている。
４つの連係部材２５のうち、外ケース２３および吐出ヘッド１７の前記長手方向で隣り合う一対の連係部材２５は、折曲変形自在な連結片２５ａを介して一体に形成されている。また、これら一対の連係部材２５は、前記側面視で容器軸Ｏを基準に線対称形状をなしている。
【００２９】
次に、以上のように構成された吐出容器１の作用について説明する。
【００３０】
操作ボタン２４を外ケース２３の内部に向けて押し込むと、操作ボタン２４の押下突片３１ｂ〜３１ｄが、連係部材２５の被押下部３２を膨出部３２ａに摺接しながら押下することで、連係部材２５が揺動軸部３４回りに揺動し、連係部材２５の押上げ部３３が、装着キャップ１４の被押上げ部１４ｃを突き上げることにより、この装着キャップ１４が容器本体１１とともにステム１５および吐出ヘッド１７に対して押し上げられる。これにより、ステム１５が、シリンダ１６ａに対して前記付勢部材の上方付勢力に抗して相対的に下降移動することとなり、シリンダ１６ａ内の内容物が、ステム１５および連結筒２２を通して吐出孔１２から吐出される。
【００３１】
ここで図示の例では、前記側面視において、被押下部３２の長さが、押上げ部３３の長さより長くなっているので、押上げ部３３の曲げ剛性の低下を抑えつつ、操作ボタン２４に加えた押下力を、梃子の原理により、押上げ部３３に増幅させて伝達することが可能になる。したがって、操作ボタン２４に大きな押下力を加えなくても、装着キャップ１４の被押上げ部１４ｃに押上げ部３３から大きな押上げ力を付与することが可能で、しかもこの押上げ部３３の弾性変形を抑えることも可能になり、内容物の吐出孔１２からの吐出をより一層安定させることができる。
【００３２】
そして、操作ボタン２４の押下を解除すると、吐出器本体１６の前記付勢部材の付勢力により、装着キャップ１４が容器本体１１とともにステム１５および吐出ヘッド１７に対して下方に復元変位する。この際、装着キャップ１４の被押上げ部１４ｃが、連係部材２５の押上げ部３３を押下することで、連係部材２５を揺動軸部３４回りに揺動させ、連係部材２５の被押下部３２が、操作ボタン２４の押下突片３１ｂ〜３１ｄに膨出部３２ａを摺接させつつ、操作ボタン２４を外ケース２３の外部に向けて押し出す。
【００３３】
以上説明したように、本実施形態による吐出容器１によれば、操作ボタン２４を外ケース２３の内部に向けて押し込んだときに、連係部材２５の押上げ部３３により、装着キャップ１４が外ケース２３の内部で容器本体１１とともにステム１５および吐出ヘッド１７に対して押上げられるので、内容物の吐出時に、吐出ヘッド１７および外ケース２３は上下動させないままにしておくことにより、吐出孔１２の被付着部分に対する位置を安定させることが可能になり、内容物を正確な位置に付着させることができる。
また、連係部材２５が前述のように揺動自在に配設されていることから、押上げ部３３により装着キャップ１４を容器本体１１とともにステム１５および吐出ヘッド１７に対して押上げる際に、操作ボタン２４に要する押下力を低く抑え易くすることが可能になり、吐出孔１２の被付着部分に対する位置を確実に安定させることができる。
【００３４】
さらに、連係部材２５が吐出容器１の側面視でＬ字状に形成されているので、簡易な構成で前述の作用効果を確実に奏功させることができる。
また、操作ボタン２４が、外ケース２３の内部に対して容器軸Ｏ方向に沿って進退自在に配設されるとともに、押下突片３１ｂ〜３１ｄが、膨出部３２ａにおける前記反対方向を向く端縁に摺接するように配設されているので、操作ボタン２４を外ケース２３の内部に対して進退移動させるときに、押下突片３１ｂ〜３１ｄと被押下部３２とを互いに引っ掛けることなくスムーズに摺接させ合うことが可能になり、動作不良の発生を防ぐことができる。
【００３５】
なお、本発明の技術的範囲は前記実施の形態に限定されるものではなく、本発明の趣旨を逸脱しない範囲において種々の変更を加えることが可能である。
【００３６】
例えば、前記実施形態では、操作ボタン２４を２つ、連係部材２５を４つそれぞれ配設したが、例えば一つずつでもよく、個数は適宜変更してもよい。
また、前記実施形態では、４つの連係部材２５のうち、外ケース２３および吐出ヘッド１７の前記長手方向で隣り合う一対の連係部材２５を、折曲変形自在な連結片２５ａを介して連結し一体に形成したが、連結片２５ａを有しない互いに独立した部材としてもよい。
前記実施形態では、操作ボタン２４を外ケース２３の内部に対して進退させる方向を容器軸Ｏ方向としたが、例えば径方向にする等適宜変更してもよい。
前記実施形態では、連係部材２５として前記側面視でＬ字状に形成された構成を示したが、これに限らず適宜変更してもよい。
また被押下部３２として、前記側面視で、下方から上方に向かうに従い漸次、水平方向のうち押上げ部３３から離間する方向に延在させた構成を示したが、例えば容器軸Ｏ方向に沿って延在させる等適宜変更してもよい。
さらに被押下部３２に膨出部３２ａは形成しなくてもよい。
また、装着キャップ１４に被押上げ部１４ｃを配設せず、押上げ部３３を、例えば装着キャップ１４の本体部１４ａの下端開口縁に、該本体部１４ａの下方から当接させるようにしてもよい。
さらに、前記側面視において、被押下部３２の長さを押上げ部３３の長さ以下としてもよい。
【００３７】
またこの吐出容器１は、吐出ヘッド１７を例えば鼻、耳、口等の孔内に差し込んで使用してもよいし、あるいは露出した外面に吐出孔１２から内容物を吐出して付着させて使用してもよい。
さらに吐出器本体１６として、ポンプ機構を示したが、これに限らず例えば、エアゾール機構等を採用してもよい。
【００３８】
その他、本発明の趣旨を逸脱しない範囲で、上記した実施の形態における構成要素を周知の構成要素に置き換えることは適宜可能であり、また、上記した変形例を適宜組み合わせてもよい。
【産業上の利用可能性】
【００３９】
内容物を吐出孔から正確な位置に付着させることができる。
【符号の説明】
【００４０】
１  吐出容器
１１  容器本体
１１ａ  口部
１２  吐出孔
１３  吐出器
１４  装着キャップ
１５  ステム
１６  吐出器本体
１７  吐出ヘッド
１７ａ  頂壁部
２３  外ケース
２４  操作ボタン
２５  連係部材
３１ｂ〜３１ｄ  押下突片
３２  被押下部
３２ａ  膨出部
３３  押上げ部
３４  揺動軸部
【図１】
0005707236.tif 000002
【図２】
0005707236.tif 000003
【図３】
0005707236.tif 000004
【図４】
0005707236.tif 000005
【図５】
0005707236.tif 000006